(57)【要約】      （修正有）【課題】介助者の手助けを必要とせずに、椅子利用者が浴槽に移乗することができる装置を提供する。【解決手段】座面１２ａ、背面１２ｂ、足置部１２ｃ、及び座面の中間個所で下端が回転可能に連結され、上端にフック部が設けられたフック部材１２ｄを有する椅子部１２と、椅子部を昇降させるための昇降機構１６とを備え、昇降機構が、昇降板１６ａと、昇降板の外面に水平方向かつ外方に延びるように配置された第１突出バー１６ｃと、水平方向かつ外方に延びるように第１突出バーの下方に配置された第２突出バー１６ｄとを有し、第２突出バーの外方に延びる距離が、第１突出バーの外方に延びる距離よりも大きくなるように選定されており、フック部材１２ｄのフック部が昇降板１６ａの第１突出バーより上方の箇所に寄り掛かるようにした状態で昇降板を上昇させると、第１突出バー１６ｃがフック部材のフック部に引っ掛かかるとともに、第２突出バー１６ｄが椅子部１２の背面１２ｂを前方に押しつけて背面を傾斜させるように構成されている。【選択図】図１
0003159893.tif 000002
【実用新案登録請求の範囲】
【請求項１】
車椅子利用者の浴槽移乗装置であって、
座面、背面、足置部、及び前記座面のほぼ中間の個所において下端が回転可能に連結され、上端にフック部が設けられたフック部材を有し、利用者が着座する椅子部と、
壁面に配置され、前記椅子部を昇降させるための昇降機構とを備え、
前記昇降機構が、所定間隔隔てて垂直方向に延びるように配置された一対のレールに沿って昇降する昇降板を有し、前記昇降板の外面に、水平方向かつ外方に延びるように配置された第１突出バーと、水平方向かつ外方に延びるように前記第１突出バーの下方に配置された第２突出バーとを有し、前記第２突出バーの外方に延びる距離が、前記第１突出バーの外方に延びる距離よりも大きくなるように選定されており、
前記フック部材のフック部が前記昇降板の第１突出バーより上方の箇所に寄り掛かるようにした状態で昇降板を上昇させると、前記第１突出バーが前記フック部材のフック部に引っ掛かかるとともに、前記第２突出バーが前記椅子部の背面を前方に押しつけて背面を傾斜させるように構成されていることを特徴とする装置。
【請求項２】
前記背面および足置部が、前記座面に対して回転可能にそれぞれ連結されており、
前記昇降板をさらに上昇させると、利用者の体重により座面が傾斜するように構成されていることを特徴とする請求項１に記載された装置。
【考案の詳細な説明】
【技術分野】
【０００１】
本考案は、電動車椅子利用者が電動車椅子から浴槽に移乗する際に用いられる浴槽移乗装置に関する。
【背景技術】
【０００２】
車椅子利用者の中には、上肢の機能低下のため、自走式の車椅子を使用するのが困難であり、手の僅かな動作で操作できるジョイスティックコントロール装置を設置した電動車椅子を利用している人が大勢いる。このような電動車椅子利用者が浴槽への移乗を自力で行うのは容易ではない。そのため、電動車椅子利用者のための特別に開発された浴槽も見受けられる。
【考案の開示】
【考案が解決しようとする課題】
【０００３】
しかしながら、従来の車椅子利用者用の浴槽は、いわゆる特注品であるため、一般住宅に設置しようとすると、浴室全体の改装が必要となるという課題がある。また、従来の浴槽移乗装置では、椅子が常設されているが、椅子に腰掛ける際に介助者の手助けを必要とするという課題がある。さらに、従来の浴槽移乗装置では、車椅子利用者が浴槽を跨ぐ際に下肢を持ち上げることができず、椅子を持ち上げざるを得ないため、安全性に問題が残るという課題もある。
【０００４】
本考案は、このような現状に鑑みて開発されたものであって、介助者の手助けを必要とせずに、椅子利用者が浴槽に移乗することができる浴槽移乗装置を提供することを目的としている。
【課題を解決するための手段】
【０００５】
本願請求項１に記載された電動車椅子利用者の浴槽移乗装置は、座面、背面、足置部、及び前記座面のほぼ中間の個所において下端が回転可能に連結され、上端にフック部が設けられたフック部材を有し、利用者が着座する椅子部と、壁面に配置され、前記椅子部を昇降させるための昇降機構とを備え、前記昇降機構が、所定間隔隔てて垂直方向に延びるように配置された一対のレールに沿って昇降する昇降板を有し、前記昇降板の外面に、水平方向かつ外方に延びるように配置された第１突出バーと、水平方向かつ外方に延びるように前記第１突出バーの下方に配置された第２突出バーとを有し、前記第２突出バーの外方に延びる距離が、前記第１突出バーの外方に延びる距離よりも大きくなるように選定されており、前記フック部材のフック部が前記昇降板の第１突出バーより上方の箇所に寄り掛かるようにした状態で昇降板を上昇させると、前記第１突出バーが前記フック部材のフック部に引っ掛かかるとともに、前記第２突出バーが前記椅子部の背面を前方に押しつけて背面を傾斜させるように構成されていることを特徴とするものである。
【０００６】
本願請求項２に記載された電動車椅子利用者の浴槽移乗装置は、前記請求項１の装置において、前記背面および足置部が、前記座面に対して回転可能にそれぞれ連結されており、前記昇降板をさらに上昇させると、利用者の体重により座面が傾斜するように構成されていることを特徴とするものである。
【考案の効果】
【０００７】
本考案の浴槽移乗装置によれば、介助者の助けを必要とせずに、車椅子利用者が浴槽を容易かつ安全に跨いで、浴槽に移乗することができる。本考案の浴槽移乗装置は、構造が比較的簡単であるので、製造コストが廉価であるとともに、故障も少ないため維持管理も容易である。
【考案を実施するための最良の形態】
【０００８】
次に図面を参照して、本考案の好ましい実施の形態に係る電動車椅子利用者（以下「利用者」という）の浴槽移乗装置について詳細に説明する。図１は、本考案の好ましい実施の形態に係る浴槽移乗装置を模式的に示した概略斜視図である。図１において全体として参照符号１０で示される本考案の好ましい実施の形態に係る浴槽移乗装置は、利用者が着座する椅子部１２を備えている。
【０００９】
椅子部１２は、座面１２ａと、座面１２ａに対して蝶番１２ａ１を介して回転可能に連結された背面１２ｂと、座面１２ａに対して蝶番１２ａ２を介して回転可能に連結された足置部１２ｃと、座面１２ａのほぼ中間の箇所１２ａ３においてヒンジ１２ｄ１を介して下端１２ｄ２が回転可能に連結された一対のフック部材１２ｄとを有している。
【００１０】
椅子部１２の分解斜視図である図２に最もよく示されるように、各フック部材１２ｄは、側面視がほぼＬ形の形状に形作られており、上端に湾曲した鍵状のフック部１２ｄ３が設けられている。
【００１１】
浴槽移乗装置１０は又、椅子部１２を移動させるための車輪部１４を備えている。図１において二点鎖線で示される車輪部１４は、椅子部１２を支持するためのフレーム１４ａと、フレーム１４ａに装着された一対の車輪１４ｂとを有している。
【００１２】
椅子部１２を車輪部１４の所定箇所に載せてボルト（図示せず）等で結合することにより、利用者が乗る車椅子となる。
【００１３】
浴槽移乗装置１０は更に、壁面に配置され、椅子部１２を昇降させるための昇降機構１６を備えている。昇降機構１６は、所定間隔隔てて垂直方向に延びるように配置された一対のレール１６ｂに沿って昇降するように構成された昇降板１６ａとを有している。図３では、昇降板１６ａは、浴室壁内に配置されたシリンダ１６ａ１を伸縮させることによって昇降させるものとして示されているが、他の形態の駆動型式を採用してもよい。
【００１４】
昇降機構１６は又、昇降板１６ａの外面に水平方向かつ外方に延びるように配置された第１突出バー１６ｃを有している。昇降機構１６は更に、昇降板１６ａの外面に水平方向かつ外方に延びるように第１突出バー１６ｃの下方に配置された第２突出バー１６ｄを有しており、第２突出バー１６ｄの外方に延びる距離Ｄ2 は、第１突出バー１６ｄの外方に延びる距離Ｄ1 よりも大きくなるように選定されている（図３参照）。
【００１５】
次に主として図４を参照して、以上のように構成された浴槽移乗装置１０の使用について説明する。まず最初に、利用者は、車椅子に乗って昇降機構１６に隣接する箇所まで移動する。次いで、椅子部１２と車輪部１４との結合を外し、椅子部１２のフック部材１２ｄのフック部１２ｄ３が昇降板１６ａの第１突出バー１６ｃより上方の箇所に寄り掛かるようにする（図４（ａ）参照）。
【００１６】
次いで、昇降板１６ａを上昇させる。すると、第１突出バー１６ｃがフック部材１２ｄのフック部１２ｄ３に引っ掛かかるとともに、第２突出バー１６ｄが椅子部１２の背面１２ｂを前方に押しつけるため、背面１２ｂが傾斜し、これにより利用者が浴槽を跨ぎ易くなる（図４（ｂ）参照）。昇降板１６ａをさらに上昇させると、フック部材１２ｄの下端が座面１２ａのほぼ中央の箇所１２ａ３に回転可能に連結されているため、利用者の体重により座面１２ａが傾斜し、これにより利用者が浴槽を一層跨ぎ易くなる（図４（ｃ）参照）。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１８】
たとえば、添付図面に示されている椅子部や昇降機構の形態は単なる例示的なものにすぎず、同様の機能を果たすことができるものであれば、これらの部分を図示した以外の形態にしてもよい。
【図面の簡単な説明】
【００１９】
【図１】本考案の好ましいの形態に係る浴槽移乗装置を模式的に示した概略斜視図である。
【図２】図１の浴槽移乗装置の椅子部を示した分解斜視図である。
【図３】図１の浴槽移乗装置を示した側断面図である。
【図４】図１の浴槽移乗装置の使用状態を説明するための一連の図である。
【符号の説明】
【００２０】
１０  浴槽移乗装置
１２  椅子部
１２ａ  座面
１２ｂ  背面
１２ｃ  足置部
１２ｄ  フック部材
１４  車輪部
１４ａ  フレーム
１４ｂ  車輪
１６  昇降機構
１６ａ  昇降板
１６ｂ  レール
１６ｃ  第１突出バー
１６ｄ  第２突出バー
【図１】
0003159893.tif 000003
【図２】
0003159893.tif 000004
【図３】
0003159893.tif 000005
【図４】
0003159893.tif 000006